(57)【要約】【課題】  バトンからの突出寸法を小さくすることができる照明器具を提供する。【解決手段】  電気的な光源を保持した光源ホルダ１と、光源を点灯させる点灯回路を保持した回路ホルダ２と、バトン３に結合するバトンホルダ４とを備える。回路ホルダ２の少なくとも一部は、バトンホルダ４を挟んで光源ホルダ１の反対側に位置している。バトン３に対して回路ホルダ２の全体と光源ホルダ１とが互いに同じ側に位置する場合に比べ、バトン３からの突出寸法を小さくすることができる。【選択図】図１
2014107060.tif 000002
【特許請求の範囲】
【請求項１】
電気的な光源を保持する光源ホルダと、
前記光源を点灯させる点灯回路を保持する回路ホルダと、
バトンに結合するバトンホルダとを備え、
前記回路ホルダの少なくとも一部は、前記バトンを挟んで前記光源ホルダの反対側に位置することを特徴とする照明器具。
【請求項２】
前記回路ホルダに一端部が連結されたアームを備え、
前記光源ホルダは、前記アームに対して回転可能に連結されていて、
前記アームに対する前記光源ホルダの回転軸からの前記光源ホルダの突出寸法は、前記回転軸からの前記アームの突出寸法であって前記光源ブロックと前記回路ホルダとが前記バトンを挟む方向に直交する方向への突出寸法以下とされていることを特徴とする請求項１記載の照明器具。
【発明の詳細な説明】
【技術分野】
【０００１】
本発明は、照明器具に関するものである。
【背景技術】
【０００２】
従来から、円筒形状のバトンに対して結合するバトンホルダを有する照明器具が提供されている（例えば、特許文献１参照）。上記のバトンは、例えば天井付近に配設されたパイプのような構造体である。
【０００３】
この種の照明器具は、図３に示すように、電気的な光源を保持した光源ホルダ１と、光源を点灯させる点灯回路を収納及び保持した回路ホルダ２と、バトン３に結合するバトンホルダ４とを備える。バトンホルダ４は回路ホルダ２に一体化されており、光源ホルダ１はアーム５を介して回路ホルダ２に連結されている。光源ホルダ１はアーム５に対して回転可能となっており、光源ホルダ１を回転させることで、図３に矢印６１で示す光の照射方向を変更することができる。
【先行技術文献】
【特許文献】
【０００４】
【特許文献１】特開平７−２２０５０７号公報
【発明の概要】
【発明が解決しようとする課題】
【０００５】
従来は、バトンホルダ４が結合したバトン３と、回路ホルダ２と、光源ホルダ１とが、バトン３の軸方向から見て直線状に並んでおり、これによりバトン３からの全体としての突出寸法が大きくなっていた。
【０００６】
本発明は、上記事由に鑑みて為されたものであり、その目的は、バトンからの突出寸法を小さくすることができる照明器具を提供することにある。
【課題を解決するための手段】
【０００７】
本発明の照明器具は、電気的な光源を保持する光源ホルダと、前記光源を点灯させる点灯回路を保持する回路ホルダと、バトンに結合するバトンホルダとを備え、前記回路ホルダの少なくとも一部は、前記バトンを挟んで前記光源ホルダの反対側に位置することを特徴とする。
【０００８】
上記の照明器具において、前記回路ホルダに一端部が連結されたアームを備え、前記光源ホルダは、前記アームに対して回転可能に連結されていて、前記アームに対する前記光源ホルダの回転軸からの前記光源ホルダの突出寸法は、前記回転軸からの前記アームの突出寸法であって前記光源ブロックと前記回路ホルダとが前記バトンを挟む方向に直交する方向への突出寸法以下とされていることが望ましい。
【発明の効果】
【０００９】
本発明によれば、バトンに対して回路ホルダの全体と光源ホルダとが互いに同じ側に位置する場合に比べ、バトンからの突出寸法を小さくすることができる。
【図面の簡単な説明】
【００１０】
【図１】本発明の実施形態を示す正面図である。
【図２】同上の変更例を示す正面図である。
【図３】従来例を示す正面図である。
【発明を実施するための形態】
【００１１】
以下、本発明を実施するための最良の形態について、図面を参照しながら説明する。
【００１２】
本実施形態は、図１に示すように、電気的な光源を保持した光源ホルダ１と、光源を点灯させる点灯回路を収納及び保持した例えば箱状の回路ホルダ２と、バトン３に結合するバトンホルダ４とを備える。
【００１３】
光源としては例えば発光ダイオードや放電灯のような周知の光源を用いることができる。光源として発光ダイオードのような直流光源が用いられる場合、点灯回路としては、例えば外部から入力された交流電力を適宜の直流電力に変換する直流電源回路を用いることができる。また、光源として放電灯が用いられる場合、点灯回路は例えば周知の電子安定器を用いて実現することができる。いずれの場合にも、光源と点灯回路とは周知技術で実現可能であるので、詳細な図示並びに説明は省略する。
【００１４】
また、光源ホルダ１は、光源の光を所定の方向６１に配光する反射板（図示せず）や、透光性を有する材料からなり光源の光が照射される方向６１から見て光源を保護する透光カバー（図示せず）などを備える。
【００１５】
さらに、バトンホルダ４は、例えば、ねじ止め等の適宜の手段により両端部をそれぞれ他の部位（例えば回路ホルダ２）に固定されるＵ字形状の金具からなり、上記他の部位との間にバトン３を挟持する。または、バトンホルダ４は、バトン３を弾性的に挟持するクリップ状の構造や、ねじが締め付けられることでバトン３に対する結合力を得るシャコ万力状の構造であってもよい。バトンホルダ４がクリップ状の構造である場合やシャコ万力状の構造である場合には、バトンホルダ４の全部または一部を他の部位（例えば回路ホルダ２）に連続一体に形成することができる。さらに、バトンホルダ４を、バトン３の軸方向（図１の紙面に直交する方向）に並べて複数個設けてもよい。
【００１６】
回路ホルダ２は、金属板で構成されていてもよいし、合成樹脂で構成されていてもよい。また、回路ホルダ２には、光源ブロック１を支持するアーム５が連続一体に形成されている。アーム５は、例えば、バトンホルダ４が結合したバトン３（以下、単に「バトン３」と呼ぶ。）の中心軸に平行な方向（図１の紙面に直交する方向）の両側から光源ホルダ１を挟む形状である。光源ホルダ１は、アーム５に対し、バトン３の中心軸に平行な回転軸１０回りに回転可能に連結されている。すなわち、光源ホルダ１をアーム５に対して回転させることで、図１に矢印６１で示す光源の光の照射方向を変更することができる。上記のような連結は、光源ホルダ１とアーム５との一方に設けた軸凸部を他方に設けた軸受け穴に挿入することで実現してもよいし、光源ホルダ１とアーム５とに設けた円形状の貫通穴に円柱形状の軸棒を挿通することで実現してもよい。
【００１７】
より具体的に説明すると、アーム５は、回路ホルダ２に連結された本体部５１と、光源ホルダ１に連結された光源ホルダ連結部５２とを有する。本体部５１は、上記の回転軸１０に直交する方向（図１での左右方向）に長く、長手方向の一端部（図１での左端部）が回路ホルダ２に連結されている。また、光源ホルダ連結部５２は、本体部５１の長手方向の他端部（図１での右端部）から本体部５１の長手方向と上記の回転軸１０とに交叉する方向（図１での上方）に突設され、先端部（図１での上端部）に光源ホルダ１を連結されている。つまり、アーム５は、上記の回転軸１０に直交する方向（すなわち図１の紙面に直交する方向）から見てＬ字形状となっている。さらに、バトンホルダ４は、本体部５１に対し、光源ホルダ連結部５２の突出方向と同じ側（図１での上側）に位置する。これにより、バトン３の中心軸と上記の回転軸１０とは本体部５１の長手方向（図１での左右方向）に並ぶ。また、回路ホルダ２と、バトンホルダ４と、アーム５の光源ホルダ連結部５２とは、それぞれ、アーム５の本体部５１に対し、上記の回転軸１０とアームの本体部５１の長手方向とに直交する方向であって互いに共通の一方側（図１での上側）に突出し、他方側（図１での下側）には突出していない。すなわち、回路ホルダ２は、バトン３を挟んで光源ホルダ１の反対側に位置している。
【００１８】
さらに、上記の回転軸１０からの光源ホルダ１の突出寸法（すなわち、図１において１点鎖線で示した円６２の半径）は、上記の回転軸１０からのアーム５の突出寸法であって回路ホルダ２と光源ホルダ１とがバトン３を挟む方向（図１での左右方向）に直交する方向（図１での下方向）への突出寸法以下とされている。従って、アーム５の上記方向での端縁（図１における下端縁）に障害物（図示せず）が当接していても、その障害物は光源ホルダ１には干渉しないから、光源ホルダ１の回転範囲が狭くなることがない。
【００１９】
上記構成によれば、バトン３に対して回路ホルダ２の全体と光源ホルダ１とが互いに同じ側（例えば図１での右側）に位置する場合に比べ、バトン３からの突出寸法を小さくすることができる。
【００２０】
例えば、図１のように光源ホルダ１をバトン３の右側に位置させる場合、上記のようにバトン３からの突出寸法を小さくすることは、左右方向についての小型化を意味する。
【００２１】
なお、各部の形状は上記に限られず、例えば、図２に示すように、回路ホルダ２の形状を、バトン３をアーム５の本体部５１との間に挟むように屈曲した形状としてもよい。
【符号の説明】
【００２２】
１  光源ホルダ
２  回路ホルダ
３  バトン
４  バトンホルダ
５  アーム
【図１】
2014107060.tif 000003
【図２】
2014107060.tif 000004
【図３】
2014107060.tif 000005